(57)【要約】【課題】従来、この種吊掛け具の引掛部と扉体の板厚との間隙調整は、スペーサーを介在させたり、扉体への鉤状引掛部前面垂下部の屈曲角を鋭角に形成することによる前面垂下片を間隙方向への付勢によって行われてきたが、扉体に対する挟着力が弱く構造的な堅牢性にも欠けるという問題があった。【解決手段】前面に吊下げフック機構を設け、背部に扉体の上端部に掛架する鉤状屈曲部３を形成し、屈曲鉤片３１の対向面に介在物を鉤片側に押圧付勢する弧状板バネ機構を設定し、また、これを上下のバネ翼４１ａ、ｂに分割し、分割したバネ翼の分割端面をリブ４２によって連結して一体成形するようにした。【選択図】図４
2008178429.tif 000002
【特許請求の範囲】
【請求項１】
前面に吊下げフック機構を設け、背部に扉体の上端部に掛架する鉤状屈曲部を形成すると共に、屈曲鉤片の対向面に介在物を鉤片側に押圧付勢する弧状板バネ機構を設定したことを特徴とする吊掛け具
【請求項２】
板バネ機構を、上部と下部に分割した全体として弧状形態に構成し、分割したバネ翼を分割端面を架橋するリブ構造によって連結するように構成した請求項１記載の吊掛け具
【請求項３】
吊下げフック機構の屈曲底部の内角部に、補強リブを形成するようにした請求項１又は請求項２記載の吊掛け具
【請求項４】
全体を射出成形によって一体形成するようにした請求項１又は請求項２又は請求項３記載の吊掛け具
【請求項５】
本体を所定幅の帯板材を横Ｓ字状に曲折して構成し、吊下げフック機構の前部に形成される帯板材幅スペースに装飾シールを貼付するように構成した請求項１又は請求項２又は請求項３又は請求項４記載の吊掛け具
【発明の詳細な説明】
【技術分野】
【０００１】
本発明は、キッチンの用品収納部などの扉体上端部に掛架して設定し、タオル、ふきん、キッチン用品、或いは手もとのごみを入れる開口した状態のスーパーマーケットのビニール袋などを係掛して炊事活動等の利便に供するようにした吊掛け具に関するものである。
【背景技術】
【０００２】
従来、この種の吊掛け具は、用品収納部などの扉体上端部に収まる板厚の鉤状引掛部を形成して扉体上端部に掛架して取付けてきているが、対応する扉の厚さが種類によってまちまちであるため、扉体の板厚と鉤状引掛部の屈曲幅の差厚を調整が問題となってきている。
【０００３】
この問題に対応するため、例えば特許文献１に示されるように、鉤状引掛部の垂下下端部にくびれのある切欠嵌合部を形成し、これに嵌合する軸体に複数のフランジ体を周設して扉体の板厚と鉤状引掛部の屈曲幅の差厚に適合する位置に形成されたフランジ体を選択してそのフランジ体と隣接フランジ体の間隙部に垂下下端部を挿入して切欠嵌合部を軸体に嵌合させることにより、扉体の板厚と鉤状引掛部の屈曲幅の差厚を調整することも行われてきた。
【０００４】
また、特許文献２に示されるように、扉体への鉤状引掛部の前面垂下部の屈曲角を鋭角に形成して扉体の板厚と鉤状引掛部の屈曲幅の差厚を埋める方向に前面垂下片を付勢させることにより、鉤状引掛部が扉体上端部を挟圧するように構成することも行われてきた。
【特許文献１】実開平７−３５６９５号公報
【特許文献２】特開２０００−５１０５７号公報
【発明の開示】
【発明が解決しようとする課題】
【０００５】
しかしながら、特許文献１の吊掛け具は、引掛部の屈曲幅調整軸体に選択されるフランジ体以外に複数のフランジ体を周設しなければならないという無駄があり、別部材として引掛部に一々挟み込む手間やコスト面でも必ずしも合理的とは言い得ない一面がある。
【０００６】
また、特許文献２の吊掛け具については、前面垂下部の屈曲角を鋭角に形成するだけで扉体上端部を挟圧する付勢力を得ることが困難であると共に、掛け替え等による屈曲部の疲労にも問題があり、更に、吊下げフック機構を設定する前面垂下部が扉面に対して並行を保てないという問題がある。
【０００７】
更に、吊下げフック機構部は、本体背板から前方に屈曲する基底部、基底部から立ち上がるフック片が単純に屈曲して内角部を補強する手段を備えていないため支持力が弱く、重量的な制約があり吊掛け具としての利用範囲が制限されているという問題がある。
【課題を解決するための手段】
【０００８】
本発明は上記した課題に対応しようとするものであり、前面に吊下げフック機構を設け、背部に扉体の上端部に掛架する鉤状屈曲部を形成すると共に、屈曲鉤片の対向面に介在物を鉤片側に押圧付勢する板バネ機構を設定することにより、扉体の上端部に掛架する鉤状屈曲部を歪めることなく、扉面に対して並行する状態での扉体上端部を十分に把持する挟圧力が得られるようにした。
【０００９】
また、板バネ機構を、上部と下部に分割した全体として弧状形態に構成し、分割したバネ翼を分割端面を架橋するリブ構造によって連結するように構成し、全体を射出成形によって一気に成形して一体に形成するようにして、生産効率を挙げると共に、構造的にも堅牢性を強化し弾発性を高めて扉体を挟圧する付勢力を維持しながら成形材料の大幅な節減を図ることができるようにした。
【００１０】
また、吊下げフック機構の屈曲底部の内角部に、補強リブを形成するようにして本体背板から前方に屈曲する基底部、基底部から立ち上がるフック片が内角部に形成された補強リブによって吊下げフックの支持力を強化し、吊掛け具としての利用範囲が大幅に拡げられるようにした。
【００１１】
更に、本体を所定幅の帯板材を横Ｓ字状に曲折して構成し、吊下げフック機構の前部に形成される帯板材幅スペースに装飾シールを貼付するように構成し、吊掛け具に装飾的要素を加味するように構成したものである。
【実施例】
【００１２】
以下、本発明の実施例を図面を参照して説明する。１は本体背板で、前面に吊下げフック機構２、後背部に扉体の上端部Ａに掛架する鉤状屈曲部３が形成され、屈曲鉤片３１の対向面１１に掛架された扉体の上端部Ａを鉤片３１側に押圧付勢する板バネ機構４が設定されている。
【００１３】
吊下げフック機構２は本体背板１の下端から前方に屈曲する基底部２１、基底部から立ち上がるフック片２２からなり、背板１から基底部２１に屈曲する内角部に補強リブ２４、基底部２１から屈曲してフック片２２として立ち上がる内角部に補強リブ２５が形成され、フック片２２の先端は受入れ舌片２３として屈曲し吊下げ物の引掛け部をフック内に受入れ易いようになっている。
【００１４】
また、受入れ舌片２３の下部からフック機構の基底部２１までの外表部には、帯板材の幅によるスペース２６が形成され、同スペース２６に装飾シールＢを貼付することにより、単なる吊掛け具だけでなく装飾小物として適用部の雰囲気を変化させることができる。
【００１５】
本体背板１の上端は後方に屈曲して扉体上端部Ａの厚みより若干広めの幅による天端３２を構成し、更に垂下して屈曲鉤片３１を形成し、これと対向する背板１の背面である対向面１１に掛架された扉体の上端部Ａを鉤片３１側に押圧付勢する板バネ機構４が設定されている。
【００１６】
板バネ機構４は、本体背板１の背面で、屈曲鉤片３１と対向する対向面１１に背面を固定し、屈曲鉤片３１の内面側に両端を立ち上げた円弧状バネ板４１を設定して構成され、鉤状屈曲部３に扉体上端部Ａが嵌入されると、バネ板４１両端のバネ翼４１ａ、４１ｂが上下から扉体を押圧して鉤片３１とバネ翼４１ａ、４１ｂ間に扉体上端部Ａを挟圧する。
【００１７】
板バネ機構４の他の実施例として、円弧状バネ板を上部と下部に分割し、分割したバネ翼４１ａ、４１ｂの分割端面をリブ構造４２によって架橋連結するように構成することによって、プラスチック射出成形による偏肉現象を抑制し一体成形をし易くすると共に、成形材料を節約することができる。
【００１８】
本発明は以上のように構成したので、調整スペーサーなどの部材を用いることなく、きっちりと扉体上端部に掛架挟着することができ、構造的にも堅牢で挟着力も強化できると共に、装飾的な効果をも付加することができたものである。
【図面の簡単な説明】
【００１９】
【図１】本発明による吊掛け具の実施例を示すもので、全体構造を示す吊            掛け具の側面図
【図２】同じく、前面側から見た吊掛け具の全体斜視図
【図３】同じく、扉体上端部に掛架挟着した状態を示す縦断側面図
【図４】同じく、板バネ機構を他の実施例とした後面側から見た吊掛け具            の全体斜視図
【符号の説明】
【００２０】
１          本体背板
１１        屈曲鉤片の対向面
２          吊下げフック機構
２１        吊下げフック機構の基底部
２２        吊下げフック機構のフック片
２３        フック片先端の受入れ舌片
２４        フック機構基底内角部の補強リブ
２５        フック機構基底内角部の補強リブ
２６        フック機構前面の装飾シール貼付スペース
３          鉤状屈曲部
３１        屈曲鉤片
３２        鉤状屈曲部の天端
４          板バネ機構
４１        円弧状バネ板
４１ａ      上部バネ翼
４１ｂ      下部バネ板
４２        上下バネ翼の分割端面を架橋連結するリブ構造
Ａ          扉体の上端部
Ｂ          装飾シール
【図１】
2008178429.tif 000003
【図２】
2008178429.tif 000004
【図３】
2008178429.tif 000005
【図４】
2008178429.tif 000006